(57)【要約】      （修正有）【課題】刃物類による外部力が致命傷となる胸部周辺や腹部などを保護する人体保護パットであって、通常服装の内側の主要な箇所に取付けて固定、あるいは着脱可能機能を付与した身体保護パッドを提供する。【解決手段】車両乗員を拘束するために一般に使用されている長尺状の乗員拘束シートベルトと、該ベルトを固定、あるいは着脱性，組み合わせなどを容易とするための布製の袋とにより、ベルトを布製袋に挿入して保護パット生地３を形成する。さらには、該保護パット生地３が基本生地として、重ね合わせ、連結、また、着脱可能な機能、たとえば、対をなす鍵と鍵穴の組合せで着脱容易なる板の片方を有し、全体の人体保護パット４を構成する。これにより、衣類の目的の箇所に身体保護パッドを一時的に取付けあるいは取り外しを可能とする。【選択図】図３
0003178518.tif 000002
【実用新案登録請求の範囲】
【請求項１】
車両運転時の乗員拘束用として使われ，当該製品の技術規格を満足し、且つ製織法が等価な長尺状の乗員拘束シートベルトが任意長さに切断されたベルトと，
該ベルトを包むことができる袋と，
前記ベルトを挿入して包んだ長尺状，あるいは矩形状の保護パッド生地３からなり，前記保護パッド生地３を厚さ方向に積み重ね，および平面方向に連結して組み合わせてヒトの胸部、あるいは腹部などを保護するような形態として，刃物などに対する外力を阻止、または減ずることを目的とした身体保護パッド．
【請求項２】
目的とする身体保護の位置と形態に対応した形状で，且つ耐衝撃エネルギーを有した身体保護パッドであって，上着やチヨッキの内側の胸部，あるいは背中の体幹，ズボン，スラックスやスカート等の内側の腹部に縫製により固定，あるいは一時的に着脱できるようにした実用新案請求項１に記載の身体保護パッドと組み合わせた衣服．
【考案の詳細な説明】
【技術分野】
【０００１】
本考案は刃物類からヒト身体を保護する目的とし，衣類の内側に固定，または着脱自由な身体保護パッドに関する。
【背景技術】
【０００２】
近年、包丁・ナイフ類など刃物類による事件や事故が多発している。通常の服装ではこのような刃物類に対しては無防備である．また，身体を強力に保護する、いわゆる防刃を目的とした衣類は専門販売店から購入できるが，特殊な用途と考えられており通常の生活用として準備している人は少ない．このような背景における状況に鑑み，通常の衣類においても致命的な外傷になると予想される身体の一部を刃物などから保護を目的とした用具の開発が求められる．
【先行技術文献】
【特許文献】
【０００３】
【特許文献１】特開１９９５−２６４４０
【特許文献２】特開２００８−１４４３１１
【考案の概要】
【考案が解決しようとする課題】
【０００４】
上記のような背景において、刃物類による外部力により致命傷となる胸部周辺や腹部などを保護する事ができる高衝撃耐性素材を用いて保護パッド生地とし，これらを強度と形状の視点から組み合わせた身体保護パッドとする．該パッドを通常の服装の内側で，身体の主要な箇所に取付けて固定，あるいは着脱可能な状態として使用して人体保護を目的とすることを課題とする．
【課題を解決するための手段】
【０００５】
刃物などによる面外力を阻止して身体を保護する素材は，高衝撃吸収能，且つ軽量であることが主要条件の一つである．
一方，車両乗員を拘束する長尺状の乗員拘束シートベルトは刃物類による面外方向の打ちぬき力を防止する高衝撃吸収エネルギー値が大きい知見データを取得したので，本考案の保護用素材とした．
すなわち，刃物類からの外力を防止に寄与する目的の保護パッドの素材としてシートベルトを採用し，該素材の組み合わせ数を変化させる事で衝撃吸収エネルギーの大，あるいは中位の保護パッドとした．また，該保護パッドと衣類と組み合わせて一体化して固定した形態で使用する手段．
さらに，該身体保護パッドを着脱可能な形態として，心臓まわりの胸部、あるいは腹部の保護帯とし、通常の背広上着、ズボン，スラックスやスカートの腹部近傍に一時的に付加して、通常生活における刃物類による身体保護する手段である．
車両乗員を拘束する長尺状の乗員拘束シートベルトに関する技術規格によれば，腰用ベルトは，引張強度２６．７[ｋＮ]以上が条件である．また，特許文献１によると，一般に合成繊維からなる経糸及び緯糸が互いに直交して延在するように織り込まれ，繊維間が緻密である．また，製織後に熱処理することにより高機能化されている．
本考案者らは技術規格に合格した該シートベルトについて，刃物による突刺し試験に関する米国規格NIJ  Standard−０１１５．００に準じた試験を行った．図１は，本試験データを示す．刃物は出刃包丁とした全体重量５６.７Nの落下試験結果よれば，貫通エネルギーは，前記ベルトの２枚重ねの試験では，７.５J，４枚重ねの試験では、１２.５Jであった．一方，例えば，市販の防刃ベストは，高レベル品は約３０Ｊ以上，一般品は，５〜１０Ｊである．すなわち，乗員拘束シートベルトを素材として，また保護する目的箇所に応じて重ねる枚数を適切に選択して身体保護パッドを提供する事ができる．
本考案に利用する前記ベルトの重量は，特許文献２によると６０［ｇ／ｍ］である．すなわち，利用するベルトの総長さは１〜２ｍとして６０〜１２０ｇとなり，身体保護パッド，あるいは上着やスラックスなどの服装に該重量が追加されても日常生活における身体の自由な動きを拘束するような問題は生じないと考えられる．
さらに，六角耐磨耗保持率が７０[％]以上であり，耐摩耗性もあり長期の利用も可能である．
以上より，規格を満足した車両乗員を拘束する長尺状の乗員拘束シートベルトは，刃物類によるヒトの腕力による外力を防止でき、生命の危険をある程度止める事が可能であると考える。
【考案の効果】
【０００６】
刃物類による身体損傷を減ずる保護パッドが提供され，背広上着の胸部や背中、ズボン，スラックスやスカートの腹部に取り付けて使用できる身体保護に寄与する．
【図面の簡単な説明】
【０００７】
【図１】米国規格NIJ  Standard−０１１５．００に準じた試験と結果
【図２】保護パッド生地
【図３】２枚重ね保護パッド（胸部前面，背中体幹部用：７.５Ｊ）
【図４】４枚重ね保護パッド（胸部心臓周辺用：１２.５Ｊ）
【図５】上着への使用例
【図６】ズボンやスラックスへの使用例
【図７】上部体幹保護チョッキの使用例
【考案を実施するための形態】
【０００８】
本考案は，技術規格を満足し、且つ製織法が等価な乗員拘束シートベルト１を素材として、身体の主要な箇所を保護するパッド（身体保護当て）である．製作は，該シートベルトを入れる長尺状の袋２と組み合わせて，保護パット生地３として、目的とする耐衝撃エネルギーをもつように縫製することにより使用される．
【実施例】
【０００９】
図２は，車両乗員を拘束するために一般に使用されている長尺状の乗員拘束シートベルト１，該ベルト１を固定，あるいは着脱性，組み合わせなどを容易とするための布製の袋２，また，ベルト１を布製袋２に挿入した保護パット生地３である．本考案では，該保護パット生地３が基本生地となり，重ね合わせ，連結、また，着脱可能な機能，たとえば、対をなす鍵と鍵穴の組合せで着脱容易なる板の片方を有し、全体の人体保護パット４を構成する．これにより，衣類の目的の箇所に一時的に取付け、取り外しが可能となる（図省略）．
布製の袋２を利用する理由は，ヒトが日常生活における身体の動きを人体保護パット４が拘束する事がないように，帯状のスダレのように自由変形を可能とするものである．また，取り付ける衣類の内側の色やデザインに合わせた布製の袋とする事により，防護目的のパットである事を、外部認識から避ける事も理由としている．
図３は，耐衝撃エネルギーが中位の人体保護パッド４を示す．これは保護パッド生地３を２枚重ねる事により胸部前面，背中体幹部用（耐衝撃エネルギーが７.５Ｊ）として利用できる．
図４は，耐衝撃エネルギーが大の人体保護パット５を示す．これは保護パット生地３を４枚重ねる事により胸部心臓周辺用（耐衝撃エネルギーが１２.５Ｊ）として利用できる．
実用上、保護パッド生地３を重ねる枚数は，目的と保護箇所により力学的根拠に基づき決定されなければならない。また，体格により平面的形状は任意に決める事ができる．
図５は，上着への使用例を示し，心臓部近傍には耐衝撃エネルギーが大の身体保護パット５，また右側胸部，および背中体幹部は耐衝撃エネルギーが中位の身体保護パッド４を取り付けた．
図６は，ズボンやスラックスへの使用例を示し，腹部には中位の身体保護パッド４を取り付けた．図７は，上部体幹の保護を主目的としたチョッキを示す．本衣服には，保護パッド４，あるいは保護パッド５を広範囲に取り付けた例である．該保護パッドは，衣類の裏生地の色や模様に合わせたベルトが開発されると衣類生地との組み合わせが多彩，取り付けが容易となる．
本考案の特徴は，車両用の乗員拘束シートベルトが耐衝撃エネルギー大で，且つ軽量あるので，刃物などに対する人体保護パッドとして提供した．該シートベルトは大量生産されているので安価，すなわち実用性が大きい．
【産業上の利用可能性】
【００１０】
刃物類による身体損傷を減ずる保護パッドを提供し，背広上着の胸部や背中、ズボン，スラックスやスカートの腹部に取り付けて使用して身体保護に寄与する．
【符号の説明】
【００１１】
１  長尺状の乗員拘束シートベルト 
２  布製の袋 
３  保護パッド生地
４  耐衝撃エネルギーが中位の身体保護パッド
５  耐衝撃エネルギーが大の身体保護パッド
６  上着
７  上着の内側
８  ズボン
９  ズボン上部の内側
１０  保護チョッキ
【図１】
0003178518.tif 000003
【図２】
0003178518.tif 000004
【図３】
0003178518.tif 000005
【図４】
0003178518.tif 000006
【図５】
0003178518.tif 000007
【図６】
0003178518.tif 000008
【図７】
0003178518.tif 000009